(57)【要約】【課題】写真調で保存性の極めて高い画像を、簡単な構成で得ることが可能な電子写真画像形成を可能とする。【解決手段】写真画質を形成する場合、元画像を反転させた画像が形成された透明の記録媒体を前記搬送路中に搬送するのと前後して、非透明白色の記録媒体を前記搬送路中に搬送し、反転画像を透明記録媒体上に作像し、定着処理等の後工程の処理前後における搬送中に、非透明媒体の搬送を開始する。そして、透明記録媒体１２１に対して、反転トナー画像を挟むように配置し、反転トナー画像１２２に対し、バックからの反射板として機能させる。そして反転画像が作像された透明記録媒体が装置外部に排出される前後に、非透明媒体をその下方か上方に排出する。この時点で、透明記録媒体と非透明媒体は、透明記録媒体に作像されたトナー画像が、両者の間に挟まれた状態で重なっている。【選択図】図４
2007206476.tif 000002
【特許請求の範囲】
【請求項１】
記録媒体を搬送する搬送路と、記録媒体上に画像を形成する画像形成部を備えた画像形成装置において、非透明の記録媒体と透明の記録媒体の何れを前記搬送路中に搬送させるかを選択する記録媒体選択部と、元画像と元画像を反転させた画像の何れを前記記録媒体上に形成するかを選択する画像選択部と、単一の第１の制御信号に基づき、前記記録媒体選択部に透明の記録媒体を選択させるとともに、前記画像選択部に元画像を反転させた画像を選択させることにより、前記透明の記録媒体上に元画像を反転させた画像を形成し、第２の制御信号に基づき、前記画像選択部に画像を選択させることなく、前記記録媒体選択部に透明の記録媒体を選択させる制御部を備えた画像形成装置。
【請求項２】
非透明の記録媒体及び透明の記録媒体を個別にストックする一以上の給紙トレイをさらに備え、前記記録媒体選択部は、前記非透明の記録媒体と前記透明の記録媒体の何れが選択されたかに応じて、前記給紙トレイ中の選択された記録媒体を前記搬送路へ搬送する請求項１記載の画像形成装置。
【請求項３】
前記記録媒体が、非透明か透明かを検知する記録媒体検知部を備え、前記記録媒体選択部は、選択された記録媒体と検知された記録媒体が一致する場合に、前記記録媒体を前記搬送路中で搬送する請求項１または２記載の画像形成装置。
【請求項４】
前記制御部は、前記単一の制御信号に基づき、前記記録媒体選択部に透明の記録媒体を選択させる前後に、前記記録媒体選択部に非透明白色の記録媒体を選択させることにより、元画像を反転させた画像が形成された前記透明の記録媒体を前記搬送路中に搬送させる前後に、前記非透明白色の記録媒体を前記搬送路中に搬送させる請求項１から３のいずれかに記載の画像形成装置。
【請求項５】
前記搬送路を搬送された記録媒体を装置外部に排出する排出部を備え、前記制御部は、前記排出部により、元画像を反転させた画像が形成された前記透明の記録媒体を装置外部に排出する前後に、前記非透明白色の記録媒体を装置外部に排出させる請求項４記載の画像形成装置。
【請求項６】
一対の記録媒体を接着する接着部を備えると共に、前記制御部は、前記接着部により、前記透明の記録媒体における元画像を反転させた画像が形成された面に、前記非透明白色の記録媒体を接着させる請求項４記載の画像形成装置。
【請求項７】
前記単一の制御信号を発生させる操作部を備えたことを特徴とする請求項１から６のいずれかに記載の画像形成装置。
【請求項８】
請求項１から７のいずれかに記載の画像形成装置と、該画像形成装置と通信する外部装置とからなり、前記外部装置は、前記単一の制御信号を前記画像形成装置に送信する画像形成システム。
【発明の詳細な説明】
【技術分野】
【０００１】
本発明は電子写真技術等による画像形成装置と、これを利用した画像形成システムに関する。
【背景技術】
【０００２】
従来、光沢のある写真画質の画像を得るために、各種試みがなされている。例えば、特許文献１では、光沢を出すための特殊なトナーを用いている。用紙上に通常の画像形成を実施した後、定着部に行く前に全面に透明なトナーを均一に形成し、定着することで写真画質が得られるとしている。しかしこの技術は、常に全面に均一な透明トナーを供給することや、画像部と非画像部でのトナー厚みの違いによる定着部への負荷が高い等の課題がある。
【０００３】
また、特許文献２等では、光沢を出すために特殊な記録媒体を用いている。用紙の表や裏に熱可塑性樹脂層を設け、画像を通常に定着した後でさらに圧と熱を加えることで表面の均一な光沢を実現できるとしている。しかしこの技術を用いる為には以下特許に示す特殊な定着装置と併せて効果が実現できるものであり、構成やコスト、消費電力等の点で課題がある。
【０００４】
また特許文献３では、光沢を出すために特殊な定着装置を用いている。通常の定着（第一定着）後、平滑性の高いベルトから構成される第二定着手段を設けて再度トナーを溶かした後冷却と剥離を行い、ベルトの平滑性を利用して均一な光沢を得ることができるとしている。先の特許文献２と同様に構成やコスト、消費電力等の点で課題がある。
【０００５】
また、特許文献４では、定着ローラ内部に冷却部を設置することで、紙上トナーが軟化点あるいは融点以下になった後、定着ローラより引き剥がされる。トナー表面に光沢のあるカラー画像と艶消しの画像を得ることができる、としている。しかし、この方法では、定着ローラ内部に冷却部を設けるため、装置の複雑化、コスト高等の副作用が発生すると考えられる。
【０００６】
また、保存性をよくするため等の目的により、原稿を透明媒体で挟み、外乱より保護するラミネータがある。しかし、ラミネータには、画質を向上させる機能は有しておらず、必ずしも高画像が得られるわけではない。
【特許文献１】特開２００２−３４１６２３
【特許文献２】特開２００４−１９１６７８
【特許文献３】特開２００３−２７０９９１
【特許文献４】特開２００１−３０５８９４
【発明の開示】
【発明が解決しようとする課題】
【０００７】
上述のように、従来の作像装置は、ユーザーにより入力された画像を、ユーザーから特に指示が無い限り、反転させずに作像し、出力する。そこで本発明においては、透明記録媒体に作像し、それを裏から見る構成とするため、画像を該透明記録媒体に対し、反転させて作像する必要がある。本発明においては、透明の記録媒体上に、元画像を自動的に反転させ、画像を形成する事を目的とする。
【課題を解決するための手段】
【０００８】
本発明の請求項１に係る画像形成装置は、記録媒体を搬送する搬送路と、記録媒体上に画像を形成する画像形成部を備えた画像形成装置において、非透明の記録媒体と透明の記録媒体の何れを前記搬送路中に搬送させるかを選択する記録媒体選択部と、元画像と元画像を反転させた画像の何れを前記記録媒体上に形成するかを選択する画像選択部と、単一の第１の制御信号に基づき、前記記録媒体選択部に透明の記録媒体を選択させるとともに、前記画像選択部に元画像を反転させた画像を選択させることにより、前記透明の記録媒体上に元画像を反転させた画像を形成し、第２の制御信号に基づき、前記画像選択部に画像を選択させることなく、前記記録媒体選択部に透明の記録媒体を選択させる制御部を備えたことを特徴とする。
【０００９】
同請求項２に係るものは、非透明の記録媒体及び透明の記録媒体を個別にストックする一以上の給紙トレイをさらに備え、前記記録媒体選択部は、前記非透明の記録媒体と前記透明の記録媒体の何れが選択されたかに応じて、前記給紙トレイ中の選択された記録媒体を前記搬送路へ搬送する。
【００１０】
同請求項３に係るものは、前記記録媒体が、非透明か透明かを検知する記録媒体検知部を備え、前記記録媒体選択部は、選択された記録媒体と検知された記録媒体が一致する場合に、前記記録媒体を前記搬送路中で搬送する。
【００１１】
同請求項４に係るものは、前記制御部は、前記単一の制御信号に基づき、前記記録媒体選択部に透明の記録媒体を選択させる前後に、前記記録媒体選択部に非透明白色の記録媒体を選択させることにより、元画像を反転させた画像が形成された前記透明の記録媒体を前記搬送路中に搬送させる前後に、前記非透明白色の記録媒体を前記搬送路中に搬送させる。
【００１２】
同請求項５に係るものは、前記搬送路を搬送された記録媒体を装置外部に排出する排出部を備え、前記制御部は、前記排出部により、元画像を反転させた画像が形成された前記透明の記録媒体を装置外部に排出する前後に、前記非透明白色の記録媒体を装置外部に排出させる。
【００１３】
同請求項６に係るものは、一対の記録媒体を接着する接着部を備えると共に、前記制御部は、前記接着部により、前記透明の記録媒体における元画像を反転させた画像が形成された面に、前記非透明白色の記録媒体を接着させる。
【００１４】
同請求項７に係るものは、前記単一の制御信号を発生させる操作部を備えたことを特徴とする。
【００１５】
本発明の請求項８に係る画像形成システムは、請求項１から７のいずれかに記載の画像形成装置と、該画像形成装置と通信する外部装置とからなり、前記外部装置は、前記単一の制御信号を前記画像形成装置に送信する。
【発明の効果】
【００１６】
本発明は、写真調で保存性の極めて高い画像を、簡単な構成で得ることが可能な電子写真画像形成を可能とする。
【発明を実施するための最良の形態】
【００１７】
以下本発明を実施するための最良の形態を、図に示す実施例を参照して説明する。
【実施例１】
【００１８】
図１は一般的な電子写真装置の構成である。
＜構成の説明＞
この画像形成装置は、イエロー（Ｙ）、マゼンタ（Ｍ）、シアン（Ｃ）、ブラック（Ｋ）の各色の画像を形成するための４つの画像形成ユニット１Ｙ、１Ｍ、１Ｃ、１Ｋを備える。尚、Ｙ、Ｍ、Ｃ、Ｋの色順は、図１に限るものでなく、他の並び順であっても構わない。
【００１９】
画像形成ユニット１Ｙ、１Ｍ、１Ｃ、１Ｋは、それぞれ、像担持体としての感光体ドラム１１Ｙ、１１Ｍ、１１Ｃ、１１Ｋと、帯電手段、現像手段、クリーニング手段とを備えている。また、各画像形成ユニット１Ｙ、１Ｍ、１Ｃ、１Ｋの配置は、各感光体ドラムの回転軸が平行になるように且つ転写紙移動方向に所定のピッチで配列するように、設定されている。
【００２０】
画像形成ユニット１Ｙ、１Ｍ、１Ｃ、１Ｋの上方には、光源、ポリゴンミラー、ｆ−θレンズ、反射ミラー等を備え、画像データに基づいて各感光体ドラム１１Ｙ、１１Ｍ、１１Ｃ、１１Ｋの表面にレーザー光を走査しながら照射する光書込ユニット３が、下方には転写紙を担持して各画像形成ユニットの転写部を通過するように搬送する転写搬送ベルト６０を有するベルト駆動装置としての転写ユニット６が配置されている。転写搬送ベルト６０の外周面には、ブラシローラとクリーニングブレードから構成されたクリーニング装置８５が接触するように配置されている。このクリーニング装置８５により転写搬送ベルト６０上に付着したトナー等の異物が除去される。
【００２１】
転写ユニット６の側方にはベルト定着方式の定着ユニット７、排紙トレイ８等が備えられている。画像形成装置下部には、転写紙１００が載置された給紙カセット４ａ、４ｂを備えている。また、画像形成装置側面から手差しで給紙を行う手差しトレイＭＦが備えられている。
【００２２】
この他、トナー補給容器ＴＣが備えられ、図示していない廃トナーボトル、両面・反転ユニット、電源ユニットなども二点鎖線で示したスペースＳの中に備えられている。
【００２３】
現像手段としての現像装置１０Ｙ、１０Ｍ、１０Ｃ、１０Ｋは、いずれも同様の構成からなり、それらは使用するトナーの色のみが異なる二成分現像方式の現像装置１０Ｙ、１０Ｍ、１０Ｃ、１０Ｋであり、トナーと磁性キャリアからなる現像剤が収容されている。
【００２４】
現像装置１０Ｙ、１０Ｍ、１０Ｃ、１０Ｋは感光体ドラム１１に対向した現像ローラ、現像剤を搬送・撹拌するスクリュー、トナー濃度センサ等から構成される。現像ローラは外側の回転自在のスリーブと内側に固定された磁石から構成されている。トナー濃度センサの出力に応じて、トナー補給装置よりトナーが補給される。
【００２５】
＜画像形成の流れ＞
先ず、帯電ローラ１４ａに図示しない電源より所定の電圧が印加されて、対向する感光体ドラム１１表面を帯電する。所定の電位に帯電した感光体ドラム１１表面には、引き続いて光書込ユニット３により画像データに基づくレーザー光が走査され、静電潜像が書き込まれる。静電潜像を担持した感光体ドラム１１表面が現像装置１０に到達すると、感光体ドラム１１と対向配置される現像ローラにより、感光体ドラム１１表面の静電潜像にトナーが供給されて、トナー像が形成される。
【００２６】
上記の動作が感光体ユニット２Ｙ、２Ｍ、２Ｃ、２Ｋ全てに同様にして所定のタイミングで行われ、感光体ドラム１１Ｙ、１１Ｍ、１１Ｃ、１１Ｋ表面にはそれぞれ所定の色のトナー像が形成される。
【００２７】
転写紙１００は、給紙カセット４ａ、４ｂ、もしくは手差しトレイＭＦのいずれかから搬送され、レジストローラ５に到達したところで一端停止する。そして、感光体ユニット２Ｙ、２Ｍ、２Ｃ、２Ｋの上記の画像形成動作にタイミングを合わせて、転写紙１００がレジストローラにより送り出され、転写搬送ベルト６０によって搬送されながら、各感光体ドラム１１上のトナー像を順次転写されていく。この転写紙へのトナー像の転写は、転写搬送ベルト６０を挟んで各感光体ドラム１１Ｙ、１１Ｍ、１１Ｃ、１１Ｋと対向配置されている一次転写ローラ６７Ｙ、６７Ｍ、６７Ｃ、６７Ｋから、図示しない電源より感光体ドラム１１上のトナーの極性と逆の極性の電圧が印加されることで行われる。
【００２８】
そして、感光体ドラム１１Ｋとの対向位置を通過し、４色のトナー像が重ね合わされた転写紙１００は、引き続いて定着ユニット７に搬送され、熱と圧力を受けて画像を定着される。
【００２９】
本実施例に用いた画像形成装置は特別にこの構成を特徴としているわけではなく、例えば書き込み方式としてレーザーではなくＬＥＤを使用する場合や、現像手段として２成分ではなく１成分であっても構わないし、定着手段としてベルトではなくローラや誘導加熱方式であっても構わない。
【００３０】
ここで、本発明による、透明記録媒体を用いて写真画質を出力する場合を説明する。図１に示す本構成において、例えば、給紙カセット４ａは、透明記録媒体をセットすると規定する（構成により、給紙カセット４ｂでもよい）。他方、給紙カセット４ｂには非透明媒体をセットすると規定する。（透明記録媒体を４ｂにセットすると規定されている場合は、非透明媒体は４ａにセットすると規定する。）
【００３１】
以下、フローチャート図３に従って説明する。まず、単一の制御信号を発生させる操作部により、ユーザーが写真画質を出力する場合、図２に示すような操作部１１０の制御板において、ユーザーは写真画質スイッチ１１１を押す（ステップ１）。１１２はディスプレイ、１１３は操作ボタン類である。
【００３２】
その後、ユーザーによる画像選択等が成され（ステップ２）、ユーザーから印刷指示の入力信号が入ると、単一の第１の制御信号に基づき、前記記録媒体選択部に透明の記録媒体を選択させるとともに、前記画像選択部に元画像を反転させた画像を選択させることにより、前記透明の記録媒体上に元画像を反転させた画像を形成し、第２の制御信号に基づき、前記画像選択部に画像を選択させることなく、前記記録媒体選択部に透明の記録媒体を選択する機能によって、機械本体は、ユーザーが入力した画像（コピーの場合は、スキャンした画像）をデジタル処理にて反転（左右、若しくは上下）した画像データを作成する。この、元画像を反転させたこの画像を、現像部にて像担持体上に形成を開始する（ステップ３）。
【００３３】
非透明の記録媒体及び透明の記録媒体を個別にストックする一以上の給紙トレイをさらに備えて、非透明の記録媒体と透明の記録媒体の何れが選択されたかに応じて、給紙トレイ中の選択された記録媒体を搬送路へ搬送する機能により、適切なタイミングの元に、給紙カセット４ａより、透明記録媒体の搬送を開始する（ステップ４）。ここで、上述の機能の意味は、非透明媒体がセットされた給紙カセット４ｂから給紙するのではなく、透明記録媒体がセットされた給紙カセット４ａから透明記録媒体を給紙することである。ここで、給紙された記録媒体が透明でなければエラーメッセージを表示する（ステップ４ａ）。
【００３４】
この時、記録媒体が、非透明か透明かを検知し、選択された記録媒体と検知された記録媒体が一致する場合に、記録媒体を搬送路中で搬送する機能により、光センサーにより、給紙カセット４ａより搬送される記録媒体が、適切な透明性をもった透明記録媒体であるか否かを検知する。この検知により、適切な透明性をもった記録媒体でないと判断された場合は、エラーメッセージを表示する。他方、適切な透明性を持った透明記録媒体であると判定された場合は、以下プロセスを進行させる。
【００３５】
そして、単一の制御信号に基づき、記録媒体選択部に透明の記録媒体を選択させる前後に、記録媒体選択部に非透明白色の記録媒体を選択させることにより、元画像を反転させた画像が形成された透明の記録媒体を前記搬送路中に搬送させる前後に、非透明白色の記録媒体を前記搬送路中に搬送させる機能により、反転画像を透明記録媒体上に作像し（ステップ５）、定着処理等の後工程の処理前後における搬送中に、給紙カセット４ｂにセットされた非透明媒体の搬送を開始する（ステップ６、７）。
【００３６】
この非透明媒体１２０の目的は、折り返し後の断面の様子を示す図４に示すように、透明記録媒体１２１に対して、反転トナー画像を挟むように配置し、反転トナー画像１２２（透明記録媒体１２１側についている）に対し、バックからの反射板として機能することである。よって、可視光全域に渡って反射率の高い、白色紙等が画質の面からは望ましい。しかし、非透明の媒体であれば、これを限定するものではない。また、該非透明媒体には、画像は作像される必要性はないが、画像を形成することも可能である。
【００３７】
次に、搬送路を搬送された記録媒体を装置外部に排出する排出部を備え、排出部により、元画像を反転させた画像が形成された透明の記録媒体を装置外部に排出する前後に、非透明白色の記録媒体を装置外部に排出させる機能により、反転画像が作像された透明記録媒体が装置外部に排出される前後に、非透明媒体がその下方、若しくは上方に排出される（ステップ８）。これに関して、反転画像が作像された透明記録媒体のトナー画像が下面に作像されている場合は、非透明媒体は透明記録媒体が排出される前に排出される。この時点で、透明記録媒体と非透明媒体は、図４に示したように、透明記録媒体に作像されたトナー画像が、両者の間に挟まれた状態で重なっている。この時、透明記録媒体と非透明媒体の上下は、装置の構成によりどちらにもなりえて構わない。
【００３８】
すなわち本発明による、写真画質の獲得は、前記のような両媒体が重なっている状態で得られるが、両者が重なっているだけでは、ユーザーによる接触等の外乱により、剥離してしまう。よって、一対の記録媒体を接着する接着部を備えると共に、接着部により透明の記録媒体における元画像を反転させた画像が形成された面に、非透明白色の記録媒体を接着させるという機能により、図５に示した例のように、両媒体が重ねられた後、位置合わせ用突き当て部材等により両者の位置合わせを行ったのち、ローラ等の部材により、両者の接着処理が行われる。
【００３９】
本発明に関する装置においては、トナー画像が透明媒体側に粘着しているため、単純に原稿を透明媒体で挟んだのみのラミネータと比較し、極めて高画像が得られる。また、トナー画像が透明媒体と非透明媒体で挟まれた構造であるため、極めて保存性が良い。
【００４０】
なお図３のステップ１において、写真画質スイッチ１１１がオフであれば、画像選択、印刷指示し（ステップ１０）、元画像を反転させずに画像を現像部に形成して画像を現像部に形成し（ステップ１１）、記録媒体に画像を形成し（ステップ１２）、画像を形成した記録媒体を排出する（ステップ１３）。
【実施例２】
【００４１】
なお図５に示した例では、上記非透明媒体１２０の面のうち、透明記録媒体１２１と接触する側の面に、熱により粘着性を発現する材料が塗布されていることにより、加熱手段を擁したローラ１２３を通過することにより、透明記録媒体１２１と、非透明記録媒体１２０の接着が行われる例を示している。図中１２４は位置合わせ用突き当て部材、１２５は非透明体トレイ、１３０は写真調の画像が形成された媒体を示す。
【００４２】
このプロセスは、図６のフローチャートにおいては、「透明記録媒体と、非透明媒体との、接着作業を指示」（ステップ９）として図３のフローチャートのステップ８の後に挿入された形となる。本発明による、図４に示したような構成において、該透明記録媒体に表面が平滑な部材を選択すれば、画像表面が極めて平滑で、且、光沢のある、写真画質が得られる。
【００４３】
なお、非透明記録媒体１２０と透明記録媒体１２１の接着は、非透明記録媒体１２０上への画像形成を完了した後に行われてもよく、非透明記録媒体１２０上への画像形成を完了する前に行われても良い。
すなわち、電子写真プロセスで画像形成する場合、非透明記録媒体１２０上へ画像を転写、定着した後に、非透明記録媒体１２０に透明記録媒体１２１を接着してもよく、非透明記録媒体１２０上へ画像を転写した後に、非透明記録媒体１２０に透明記録媒体１２１を接着するのと同時に、非透明記録媒体１２０上へ画像を定着してもよい。
【００４４】
なお先にも述べたが、これら写真画質を出力する場合の選択は、図２に示す様な操作部での操作により行うことが出来る。
【００４５】
また、この操作部は装置本体に設置されている場合だけではなく、パソコン等の、外部装置からの制御信号送信により実現することも可能である。換言すれば、画像形成装置と通信する外部装置とからなり、前記外部装置は、前記単一の制御信号を前記画像形成装置に送信する画像形成システムを構成できる。
【００４６】
すなわち本発明では、単一の制御信号に基づき、記録媒体種の選択と、元画像の反転が行われるので、透明の記録媒体上に、元画像を反転させた画像を自動的に形成することができる。これにより、後工程で、透明の記録媒体における元画像を反転させた画像が形成された面に、非透明記録媒体を重ね合わせることにより、写真画質の画像を得ることができる。
【００４７】
また透明記録媒体がセットされた給紙カセットを備え、複数の給紙カセットから適切な給紙カセットを選択する制御機構を有しているので、透明記録媒体と、非透明媒体の何れが選択されたかに応じて、透明の記録媒体を自動的に搬送することができる。
【００４８】
また搬送される記録媒体に対して、光センサーにより、その透明性を検知する機構を有しているので、搬送される記録媒体が透明であるか否かを検知し、透明の記録媒体上に、元画像を反転させた画像を確実に形成させることができる。（手出しトレイや給紙トレイに誤った記録媒体がセットされた場合でも対応できる。）
【００４９】
さらに元画像を反転させた画像が形成された透明の記録媒体と、非透明白色の記録媒体がセットで搬送されるため、後工程で両者を重ね合わせるのが容易になる。
【００５０】
またさらに元画像を反転させた画像が形成された透明の記録媒体と、非透明白色の記録媒体がセットで排紙されるため、後工程で両者を重ね合わせるのが容易になる。
【００５１】
しかも、元画像を反転させた画像が形成された透明の記録媒体と、非透明白色の記録媒体を自動で接着することができ、同一信号により、透明記録媒体の搬送と、元画像を反転させる指示が行え、それが本体操作部にスイッチとして設置されているものを用いて行えるため、操作部の操作により、透明の記録媒体上に元画像を反転させた画像を形成することができる。
【００５２】
そしてさらに、例えばパソコン等の制御装置が、外部装置として存在しているので、外部装置からの制御信号送信により、透明の記録媒体上に元画像を反転させた画像を形成することができる。
【図面の簡単な説明】
【００５３】
【図１】一般的な電子写真装置の構成を示す図
【図２】図１装置の操作部の一例を示す図
【図３】本発明の第１実施例の動作のフローチャート
【図４】非透明媒体の折り返し後の断面の様子を示す図
【図５】透明、非透明媒体を重ねて写真帳の画像を形成するステップを示す図
【図６】本発明の第２実施例の動作のフローチャート
【符号の説明】
【００５４】
１  画像形成ユニット
２  感光体ユニット
３  光書込ユニット
４ａ、４ｂ  給紙カセット
６  転写ユニット
７  定着ユニット
８  排紙トレイ
１０  現像装置
１１  感光体ドラム
１４  帯電ローラ
６０  転写搬送ベルト
６７  一次転写ローラ
８５  クリーニング装置
１００  転写紙
１１０  操作部
１１１  写真画質スイッチ
１１２  ディスプレイ
１１３  操作ボタン類
１２０  非透明媒体
１２１  透明記録媒体
１２２  反転トナー画像
１２３  ローラ
１２４  位置合わせ用突き当て部材
１２５  非透明体トレイ
１３０  写真調の画像が形成された媒体
ＭＦ  手差しトレイ
ＴＣ  トナー補給容器
【図１】
2007206476.tif 000003
【図２】
2007206476.tif 000004
【図３】
2007206476.tif 000005
【図４】
2007206476.tif 000006
【図５】
2007206476.tif 000007
【図６】
2007206476.tif 000008